(57)【要約】第１の送信機(１０)と受信機(４)との間の第１のコネクション(５１)から第２の送信機(２０)と前記受信機(４)との間の第２のコネクション(５２)へのデータユニットのシーケンスを含むデータユニットベースの通信のハンドオーバを実施する方法およびデバイスであって、第１の送信機(１０)および第２の送信機の双方にハンドオーバの一部として供給されたデータユニット間の参照データユニットを受信機(４)に指示するステップを含み、通信を第２の通信(５２)に移行するのに先立って、第１の送信機(１０)および第２の送信機（２０）の双方に供給されたこれらのデータユニットのうち、第１のコネクション(５１)を介して送信され、受信機(４)により成功裡に受信されたようなデータユニットを特定する記録を、受信機が参照データに基づいて保持する、方法およびデバイス。
2007537634.tif 000002
【特許請求の範囲】
【請求項１】
第１の送信機(１０)と受信機(４)との間に設けられた第１のコネクション（５１）から第２の送信機(２０)と前記受信機(４)との間に設けられた第２のコネクション（５２）へデータユニットのシーケンスを含むデータユニットベースの通信をハンドオーバする方法であって、
前記第１のコネクション(５１)を介する前記通信を非継続とし（Ｓ４４；Ｓ５４）、前記第２のコネクション(５２)を介する前記通信を継続とするステップと、
前記第１のコネクション(５１)を介する前記通信を非継続とするのに先立って、前記第１の送信機(１０)および前記第２の送信機（２０）の双方に前記受信機(４)宛てのデータユニットを供給する(Ｓ４１；Ｓ５１)ステップと
を含み、さらに、
前記第１の送信機(１０)および前記第２の送信機（２０）の双方に供給されたこれらのデータユニットのうち参照データユニットを前記受信機（４）に提示するステップ（Ｓ４２；Ｓ５２）と、
前記受信機（４）が、前記第１の送信機(１０)および前記第２の送信機（２０）の双方に供給されたこれらのデータユニットのうち、前記第１のコネクション(５１)を介して送信され、かつ、前記受信機（４）により成功裡に受信されたようなデータユニットを特定するための記録を、前記参照データユニットに基づいて保持するステップと
を含むことを特徴とする方法。
【請求項２】
前記方法であって、前記受信機(４)が、前記第１の送信機(１０)および前記第２の送信機（２０）の双方に供給されたこれらのデータユニットのうち、前記第１のコネクション(５１)を介して成功裡に受信され、かつ、前記シーケンスにおいて前記参照データユニットに続く、全てのデータユニットの記録を保持する、ことを特徴とする請求項１に記載の方法。
【請求項３】
前記参照データユニットが、前記第１の送信機(１０)および前記第２の送信機（２０）の双方に供給されたこれらのデータユニットのうちの第１のデータユニットである、ことを特徴とする請求項１または２に記載の方法。
【請求項４】
前記第１の送信機(１０)および前記第２の送信機（２０）の双方に前記受信機(４)宛てのデータユニットを供給するステップが、前記第１の送信機(１０)が前記第２の送信機へ前記データユニットを転送するステップを含む、ことを特徴とする請求項１乃至３の何れか１項に記載の方法。
【請求項５】
前記受信機(４)に参照データユニットを提示するステップが、前記第１の送信機(１０)が前記参照データユニットを特定する制御メッセージを前記受信機(４)へ送信するステップを含む、ことを特徴とする請求項４に記載の方法。
【請求項６】
前記受信機(４)が記録を保持するステップが、前記第１のコネクション(５１)を介して成功裡に受信したデータユニットの数を、前記参照データユニットを考慮してカウントするステップを含む、ことを特徴とする請求項１乃至５の何れか１項に記載の方法。
【請求項７】
前記受信機(４)は、前記第１の送信機および前記第２の送信機の双方に供給されたデータユニットのうち、前記第１のコネクション(５１)を介して前記受信機(４)により成功裡に受信された前記データユニットを前記第２の送信機(２０)が特定できる情報を、前記第２の送信機(２０)に送信する（Ｓ５５）、ことを特徴とする請求項１乃至６の何れか１項に記載の方法。
【請求項８】
前記第２の送信機(２０)が、前記第１の送信機および前記第２の送信機の双方に供給されたこれらのデータユニットのうち、前記第１のコネクション(５１)を介して前記受信機(４)により成功裡に受信されなかったようなデータユニットのみを前記受信機(４)に送信する、ことを特徴とする請求項７に記載の方法。
【請求項９】
前記受信機(４)が、前記第１および前記第２の送信機の双方に供給されたこれらのデータユニットの中にあり、前記第１のコネクション(５１)を介して前記受信機(４)により成功裡に受信した、前記第２のコネクション(５２)を介して受信するデータユニットを、前記記録を使用してそのまま廃棄する（Ｓ４５）、ことを特徴とする請求項１乃至６の何れか１項に記載の方法。
【請求項１０】
前記第１の送信機(１０)が第１の無線アクセスネットワーク(１)に属し、前記第２の送信機（２０）が、前記第１の無線アクセスネットワークとは異なる、第２の無線アクセスネットワーク(２)に属する、ことを特徴とする請求項１乃至９の何れか１項に記載の方法。
【請求項１１】
データユニット受信機(４)であって、
第１の送信機(１０)への第１のコネクション(５１)および第２の送信機(２０)への第２のコネクション(５２)を確立する接続装置（４１）と、
前記第１および前記第２のコネクションを介するデータユニットの受信を制御し、前記データユニットを正しく受信したか否かを判定し、前記第１のコネクション(５１)から前記第２のコネクション(５２)への、データユニットのシーケンスを含むデータユニットベースの通信のハンドオーバにおいて、前記データユニット受信機(４)を制御し、該ハンドオーバが前記第１のコネクション(５１)を介する通信を非継続とし、前記第２のコネクション(５２)を介する通信を継続とする、コントローラ(４２)と
を含み、
前記コントローラ(４２)が、前記ハンドオーバのうち前記第１の送信機(１０)および前記第２の送信機（２０）の双方に供給されたデータユニットのうち、参照データユニットを表す情報を受信するように構成され、前記第１の送信機(１０)および前記第２の送信機（２０）の双方に供給されたこれらのデータユニットのうち、前記第１のコネクション(５１)を介して送信され、かつ、前記受信機（４）により成功裡に受信されたようなデータユニットを特定するための記録を保持するように構成されている、
ことを特徴とするデータユニット受信機。
【請求項１２】
前記コントローラ(４２)が、前記第１のコネクション(５１)を介して成功裡に受信したデータユニットの数を、前記参照データユニットを考慮してカウントするように構成されている、ことを特徴とする請求項１１に記載のデータユニット受信機。
【請求項１３】
前記コントローラ(４２)は、前記第１の送信機および前記第２の送信機の双方に供給されたこれらのデータユニットのうち、前記第１のコネクション(５１)を介して前記受信機(４)により成功裡に受信されたデータユニットを前記第２の送信機(２０)が特定できる情報を、前記第２の送信機(２０)に送信するように構成されている、ことを特徴とする請求項１１または１２に記載のデータユニット受信機。
【請求項１４】
前記コントローラ(４２)は、前記記録を使用して（Ｓ４５）前記第１および前記第２の送信機の双方に供給され、かつ、前記第１のコネクション(５１)を介して前記受信機(４)により成功裡に受信された、これらのデータユニットのうち、前記第２のコネクション(５２)を介して受信されたデータユニットをそのまま廃棄する
ように構成されている、ことを特徴とする請求項１１または１２に記載のデータユニット受信機。
【請求項１５】
受信機(４)にデータユニットを送信するデータユニット送信機（１０）であって、
前記データユニットを受信する、前記受信機(４)およびネットワーク(１)への第１のコネクション(５１)を確立する接続装置(１０１)と、
前記第１のコネクション（５１）から第２の送信機(２０)と前記受信機(４)との間に設けられた第２のコネクション（５２）へとハンドオーバする際に、前記データユニット送信機（１０）を制御し、該ハンドオーバには、前記第１のコネクション(５１)を介する通信を非継続とし、前記第２のコネクション(５２)を介する通信を継続させルことが含まれ、前記第１のコネクション(５１)を介する通信を非継続とするのに先立って、前記データユニット送信機（１０）および前記第２の送信機(２０)の双方に前記受信機(４)宛てのデータユニットを供給するコントローラ(１０２)とを含み、
さらに、前記コントローラ(１０２)が、前記ハンドオーバのうち、前記ネットワーク(１)を介して受信した前記データユニットを前記第２の送信機(２０)に転送し、前記データユニット送信機（１０）および前記第２の送信機(２０)の双方に供給されたこれらのデータユニットのうちの参照データユニットを前記受信機(４)に提示するように構成されている、
ことを特徴とするデータユニット送信機。
【請求項１６】
受信機(４)にデータユニットを送信するデータユニット送信機(２０)であって、
前記データユニットを受信する、前記受信機(４)およびネットワーク(２)への第２のコネクション(５２)を確立する接続装置(２０１)と、
第１の送信機(１０)と前記受信機(４)との間に設けられた第１のコネクション（５１）から前記第２のコネクション（５２）へとハンドオーバする際に、前記データユニット送信機（１０）を制御し、該ハンドオーバには、前記第１のコネクション(５１)を介する通信を非継続とし、前記第２のコネクション(５２)を介する通信を継続することが含まれ、前記第１のコネクション(５１)を介する前記通信を非継続とするのに先立って、前記第１の送信機(１０)および前記データユニット送信機（２０）の双方に前記受信機(４)宛てのデータユニットを供給するコントローラ(２０２)と
を含み、
さらに、前記コントローラ(２０２)は、前記第１の送信機(１０)および前記データユニット送信機（２０）の双方に供給されたこれらのデータユニットのうち、前記第１のコネクション(５１)を介して前記受信機（４）により成功裡に受信されたデータユニットを前記コントローラ(２０２)が特定できる情報を、前記受信機(４)から受信するように構成されている、
ことを特徴とするデータユニット送信機。
【請求項１７】
前記コントローラ(２０２)が、前記第１の送信機(１０)および前記データユニット送信機（２０）の双方に供給されたこれらのデータユニットのうち、前記第１のコネクション(５１)を介して前記受信機（４）により成功裡に受信されなかったようなデータユニットのみを、前記受信機(４)から受信した前記情報に基づいて前記受信機（４）に送信するように構成されている、ことを特徴とする請求項１６に記載の前記データユニット送信機。
【発明の詳細な説明】
【技術分野】
【０００１】
本発明は、第１の送信機と受信機との間の第１の接続（コネクション）から第２の送信機と前記受信機との間の第２のコネクションへ、データユニットベースの通信をハンドオーバする方法、ならびにこのようなハンドオーバを実施することの出来る送信機および受信機に関する。
【背景技術】
【０００２】
第１のコネクションから第２のコネクションへ通信をハンドオーバする方法は良く知られている。このようなハンドオーバを実施する理由は多く存在し、例えば、受信機の移動により第１のコネクションの品質が劣化したり、第１のコネクションに関連する送信機が過負荷になったり、第２のコネクションが利用可能となったり、例えばより速いデータ速度を実現できるなど、さらに望ましい特性を有することなどである。
【０００３】
第１のコネクションから第２のコネクションへハンドオーバを実施することは、進行中の通信が第１のコネクションにおいて非継続となり、第２のコネクションを介して継続されることを意味する。ハンドオーバの実施前に、第２のコネクションがまず確立されなければならず、第１のコネクション自体は、ハンドオーバの後に非継続とすることは可能であるが、これは必ずしも実情に則しない。というのは、ハンドオーバは、ハンドオーバ手順か関知していない稼働中の接続間でも実施されることがありうるからである。
【０００４】
ハンドオーバに含まれる１つの問題は、データ損失の問題である。即ち、第１のコネクションから第２のコネクションへの通信の伝送中に、送信機へ伝送中のデータの一部が失われことがありうるが、これは例えば、データが第１のコネクションの送信機において待ち行列に入れられるか、または処理され、第１のコネクションを介する通信が非継続となる時点で完全に送信されていないからである。この問題を解決するために、所謂マルチキャストハンドオーバを実施し、第１の（旧来の）コネクションを介する通信を非継続とするのに先立って、受信機宛のデータを第１のコネクションの送信機および第２の(新規の)コネクションの送信機の双方に供給することが提案されている。
【０００５】
なお、ハンドオーバシナリオには複数の第２のコネクション、即ち通信をハンドオーバすることの出来る候補が幾つか存在しうる。これが実情であれば、その場合マルチキャストを行うハンドオーバでは全ての第２のコネクションにデータを供給する。
【０００６】
例として２つのアクセスルータがあり、それぞれがそれ自身のアクセスネットワークに関与している。モバイル受信機との無線通信では、アクセスルータからモバイルへのコネクションがリンクレイヤ接続、またはリンクである。この場合、第１のアクセスルータ(通信のハンドオーバ元となる第１のリンクのアクセスルータ)がモバイル受信機に送信するレイヤ３（即ち、リンクレイヤより上位）のデータユニット（例えば、ＩＰパケット）を複製し、これらのデータを第２のルータ(通信のハンドオーバ先となる第２のコネクションのアクセスルータ)に転送することにより、マルチキャストハンドオーバを実行できる。第２のアクセスルータはマルチキャストされたデータユニットを待ち行列に入れ、適切なイネーブル信号を受信することにより送信を開始する。
【発明の開示】
【発明が解決しようとする課題】
【０００７】
上記のマルチキャストハンドオーバの考え方は幾つかの問題がある。これらの問題の１つは、マルチキャストによりハンドオーバ中のデータ損失を回避できるが、一方で複数のコネクションを介して同じデータを送信することがあるため、ネットワークリソースの浪費となり、それ故に非常に非効率的である。別の問題は、受信機における複製データの受信が、問題のコネクションを制御しているレイヤよりも上位のプロトコルレイヤのデータ処理機能に大きな障害をもたらしうることである。これは例えば、ＴＣＰ（Ｔｒａｎｓｍｉｓｓｉｏｎ  Ｃｏｎｔｒｏｌ  Ｐｒｏｔｏｃｏｌ、伝送制御プロトコル）通信を扱い、ハンドオーバを実施するリンクレイヤ接続の例を使用して説明できる。マルチキャストを開始する時点から、ＩＰパケットを複製し、また新規アクセスルータに送信する。ハンドオーバが発生する時点までには、多くは旧来のリンクを介して受信機において受信済みであるが、多数のＩＰパケットが新規アクセスルータにおいて待ち行列に入る可能性がある。次にこれらのＩＰパケットは、ハンドオーバの後に再度送信される。伝送リソースの浪費は別として、これらのＩＰパケットはＴＣＰ受信機により重複と認識され、ＴＣＰ受信機は所謂重複確認（ＤＵＰＡＣＫ）をＴＣＰ送信機に返送する。３つのＤＵＰＡＣＫ毎に、ＴＣＰ送信機はその送信速度を５０％低減するが、これは、ＤＵＰＡＣＫがネットワークの輻輳によるパケット損失によると考えられるからである。その結果、ＴＣＰの通信性能は大きく低下することがある。ＴＣＰ輻輳制御アルゴリズムが再び速い送信速度に達するまでに長い時間を要することがあるので、これは特にわずらわしい。
【０００８】
本発明の目的は、マルチキャストハンドオーバを実施する改良された方法およびシステムを広く提供することである。
【課題を解決するための手段】
【０００９】
上記の目的は、本出願の独立項に記載れた主題により解決される。有利な実施形態は従属項に記述されている。
【００１０】
本発明の方法によれば、第１の送信機と受信機との間の第１のコネクションから第２の送信機と前記受信機との間の第２のコネクションへデータユニットベースの通信をハンドオーバするときに、マルチキャストが使用される。これは、即ち受信機宛の幾つかのデータユニットが第１の送信機および第２の送信機の双方に供給されることを意味する。ハンドオーバの実施の際に、マルチキャストされるデータユニットのうち参照データユニットが受信機に提示される。受信機は、マルチキャストされたデータユニットのうち、第１のコネクション（即ち、ハンドオーバ元となる旧来のコネクション）を介して送信され、成功裡に受信されたようなデータユニットを特定するための記録を保持する。
【００１１】
このようにして、受信機はハンドオーバ処理のために複製したデータの受信により引き起こされる負の影響を緩和できる。例えば、受信機は第１のコネクションを介して成功裡に受信済みのこれらマルチキャストされたデータユニットを単にそのまま廃棄できる。
【００１２】
好ましい実施形態によれば、受信機は、第２の送信機がマルチキャストされたデータユニットのうち、第１のコネクションを介して成功裡に受信済みのこれらのデータユニットを特定できるような情報を、第２の送信機に送信する。このようにして、第２の送信機は、例えば第２のコネクションを介するこれらのデータユニットの送信を差し控えることができ、それによりネットワークリソースを節約できる。
【発明を実施するための最良の形態】
【００１３】
次に、本発明を説明することを意図し、決して制限することのない好ましい実施形態を参照して本発明を説明するが、説明では時に包含する図面を参照する。
【００１４】
以下に、本発明の種々の実施形態を記載する。幾つかの実施形態は特定のプロトコル（ＴＣＰ／ＩＰなど）や特定のプロトコルレイヤ（リンクレイヤなど）を参照するが、本発明はいずれの特定のプロトコル、またはプロトコルレイヤにも制限されることはない。本発明はハンドオーバ手順に従う任意のデータユニットをベースとした通信に関して適用できる。
【００１５】
なお、特定のプロトコルおよび技術によれば、接続（コネクション）を介して伝送されるデータを細分化してなるデータは、プロトコルデータユニット、フレーム、パケット、セグメント、セルなど種々の名前で呼ばれることがあるが、本願では細分化により得られたデータを一般にデータユニットと呼ぶことにする。
【００１６】
図１は本発明を適用できるシステムの概要を表す。参照番号１は第１のアクセスネットワークに関係し、参照番号２は第２のアクセスネットワークに関係し、参照番号３はアクセスネットワーク１および２にデータユニットを転送するように配置される通信ネットワークに関係する。参照番号４はアクセスネットワーク１およびアクセスネットワーク２を介してネットワーク３にアクセスできる受信機を示している。より詳細には、アクセスネットワーク１は受信機４とのコネクション５１を確立できる送信機１０を含み、アクセスネットワーク２は受信機４とのコネクション５２を確立できる送信機２０を含む。例えば、受信機４はデュアルモード移動端末であってもよく、この端末は基本であるコア電話ネットワーク３へ適するアクセスネットワーク１を介した第１のタイプのコネクション(例えば、ＵＭＴＳ)、および適するアクセスネットワーク２を介する第２の技術(例えば、ＧＰＲＳ)を扱うことができる。勿論、これらは単なる例示に過ぎず、アクセスネットワークは任意の適する技術に準じたものであってよく、例えば回線交換網であってもよい。アクセスネットワークは、また無線ＬＡＮであってもよい。さらに、種々の技術におけるアクセスネットワーク間のハンドオーバに関して本発明を適用することが好ましいが、図１の例に示すアクセスネットワーク１および２は、同じ技術を使用する、例えば共にＷＬＡＮであってもよい。
【００１７】
さらに、図１の例は２つのアクセスネットワークのみを示すが、これは簡単化のためになされたものであり、一般には本発明の概念は、受信機とアクセスネットワークに対応する複数の送信機との間に確立された任意の複数のコネクションを含むハンドオーバ手順に適用可能であることである。最後に、本発明は、ハンドオーバが行われようとする２台の送信機が１つの、かつ同じアクセスネットワークに位置するシステムに、適用可能であることもまた指摘しておく。
【００１８】
本発明は、第１のコネクション５１から第２のコネクション５２へデータユニットベースの通信のハンドオーバが行われる状況に適用することができ、第１のコネクション５１を介する通信を非継続とするのに先立って、受信機４宛てのデータユニットが第１の送信機および第２の送信機２０の双方に供給される、即ちマルチキャスト(または２台の送信機のみを有する特別な例、バイキャスト)ハンドオーバが行われる。
【００１９】
本発明は、ハンドオーバ手順により確立するコネクション５１および５２の間の関係に制限されることはない。換言すれば、本発明は、第２のコネクション５２がハンドオーバの実施の前にまず確立され、第１のコネクション５１はハンドオーバの後に終了する場合に適用されるが、本発明は、コネクション５１，５２の一方または双方が常時接続の状況であっても等しく適用できる。本発明は、無線コネクション５１，５２を使用するシステムに好ましくは適用されるが、コネクション５１，５２の一方または双方が有線接続の状況にも等しく適用可能であることを注記する。
【００２０】
受信機４は、アクセスネットワーク１および２、即ちより正確には送信機１０および２０と接続するのに適するように構成される。受信機４は、２つのコネクション５１，５２を同時に扱うことができるか(第２のコネクション５２がハンドオーバのために確立され、第１のコネクション５１はハンドオーバ後に終了する状況における「切断前接続」とも言われる)、または一度に１つの接続のみを扱うことができる（「接続前切断」とも言われる）ような種類のものである。
【００２１】
本発明によれば、ハンドオーバ手順では、第１の送信機１０および第２の送信機２０の双方に供給されたこれらのデータユニットの間の参照データユニットが受信機４に示される。マルチキャストユニット間の参照データユニットは、例えばマルチキャストされたデータユニットうち、第１のデータユニットとできる。換言すれば、受信機４は、マルチキャストハンドオーバの一部として第１および第２の送信機の双方に供給される第１のデータユニットを通知され、受信機は受信機４に送信されるシーケンス全体のうち後続するデータユニットを特定できる。勿論、参照データユニットは、第１のマルチキャストされたデータユニットである必要はなく、第２、第３などのマルチキャストされたデータユニットうち、所定の他のデータユニットであってもよい。
【００２２】
参照データユニットの提示（インディケーション）は、第１の送信機１０、またはハンドオーバを担当する他の制御エンティディ（実体）、例えばネットワーク３の制御実体により供給できる。これは、またマルチキャストハンドオーバにおいて第１の送信機１０および第２の送信機２０の双方へデータユニットの供給を行う実体に依存できる。両送信機への供給は、第１の送信機１０が第２の送信機２０にデータユニットを単に転送することにより（例えば、ネットワーク３を介して、またはある他のコネクションにより）行われれば、受信機４への提示は、第１の送信機１０が参照データユニットを特定する制御メッセージを受信機４に送信することにより行われることが好ましい。
【００２３】
その場合、受信機４は、第１の送信機および第２の送信機の双方に供給されたマルチキャストされたデータユニットのうち、第１のコネクションを介して送信され、受信機４により成功裡に受信したようなデータユニットを特定するための記録を保持できる。記録は、原則としてマルチキャストされたデータユニットのうち、第１のコネクション５１を介して成功裡に受信された任意の所望の量のデータユニットを特定するように構成できる。成功裡に受信されたデータユニットが全て特定可能である必要はない。これは、例えば特定を成功裡に受信されたデータユニットのみならず、あるさらに望ましい基準を満たすデータユニットに制限できるからである。しかしながら、受信機４はマルチキャストされたデータユニットのうち、第１のコネクション５１を介して成功裡に受信し、データユニットのシーケンス（列）全体のうち参照データユニットに続く全てのデータユニットの記録を保持することが好ましい。換言すれば、参照データユニットが、例えばマルチキャストされたデータユニットの第１のデータユニットであれば、受信機４は、第１のデータユニットに続く、成功裡に受信した全てのデータユニットを特定するための記録を保持することが好ましい。
【００２４】
第１のコネクション５１を介して成功裡に受信されたこれらマルチキャストされたデータユニットを特定するための情報は、種々の方法で使用できる。これに関して、図４および図５に示すフローチャートの例を参照して説明する。図４で、本方法の実施形態はステップＳ４１により始まり、ここでデータユニットが両送信機に供給される。即ちマルチキャストが開始される。次いで、ステップＳ４２で、以前に説明したように、マルチキャストされたデータユニットうち、参照データユニットが、受信機４に提示される。ステップＳ４３で、受信機４がコネクション５１を介して成功裡に受信したマルチキャストされたデータユニットの記録を保持する。ステップＳ４４で、実際のハンドオーバ、即ち通信が第１のコネクション５１を介して非継続とされ、第２のコネクション５２を介して継続される。その結果、送信機２０は事前に供給されたマルチキャストされたデータユニットの送信を開始する。
【００２５】
導入部で既に記載したように、コネクション５１を介して成功裡に受信済みのデータユニットの特定を可能にする記録が受信機４になければ、同じデータユニットの新規再送信は高位レイヤにおける重大な性能の問題に繋がる。しかしながら、図４の実施形態に従い、ステップＳ４５で、受信機がマルチキャストされたデータユニットのうち、コネクション５１を介して成功裡に受信済みのこれらのデータユニットをそのまま廃棄できる。その結果、性能の不安が緩和される。
【００２６】
図５は、別の方法の例を示し、ここではステップＳ５１からステップＳ５５までは以前に説明したステップＳ４１からステップＳ４５とそれぞれ同じであるため、改めて説明の必要はないであろう。図５の本方法の実施形態によれば、ステップＳ５５で、受信機４は、マルチキャストされたデータユニットのうち、第１のコネクション５１を介して受信機４により成功裡に受信したこれらのデータユニットを第２の送信機２０が特定できるようにするための情報を、第２の送信機２０に送信する。その結果、第２の送信機２０は、第１のコネクション５１を介して成功裡に受信されなかったこれらのデータユニットを受信機４に送信して、次に進むことができる。これにより、ネットワークリソース、コネクション５２が無線接続であれば、特に無線リソースの節約が可能になる。これは複製データユニットの不要な送信が禁止されるからである。これによりさらに、不要な複製データユニットの受信により受信機４において起こりうる性能劣化が回避されることが分かる。
【００２７】
参照データユニットの特定処理は、任意の適した方法、または所望の方法により実行できる。例えば、明示的データユニット識別情報をデータユニットに追加することで、データユニットを互いに区別できるようにすることは可能である。このような識別情報は、また暗示的に供給することもできる。例えば、各データユニットはデータ項目の識別情報を搭載する。全データ量のうち搬送するデータ項目の範囲を特定するものである。従って、この識別情報は全シーケンスの中で連続した一連のデータユニットごとに異なる。
【００２８】
さらに、データユニット受信成功の是非に関する判定は、任意の適した方法または所望の方法から選択できる。好ましくは、データユニットは、エラーがなければ成功裡に受信できたと判定できる。しかしながら、エラーが、規定された許容限度内であれば、エラーを含むデータユニットを成功裡に受信できたと判定できる。
【００２９】
受信成功の判定は、また更なる条件に従う。例えば、順序配信が要求される場合、データユニットがエラーに関して上記の条件を満たし、シーケンス順序に関してもまた正しい場合にのみ、データユニットは、成功裡に受信できたと判定できる。換言すれば、エラーがなくても、受信したばかりのデータユニットと前回成功裡に受信したデータユニットとの間のシーケンスに不足のデータユニットがある場合、順序配信が要求条件であれば、このデータユニットは成功裡に受信したとは判定されない。
【００３０】
コネクション５１，５２は直接接続であってもよいし、または簡単化のために図示しないが、中間にさらにエンティディがあってもよい。コネクションは介在する装置のない直接接続であることが好ましい。さらに、コネクション５１，５２は１つのプロトコルレイヤに固定する、即ち送信機１０，２０および受信機４は、このプロトコルレイヤのピアーであることが好ましい。例えばコネクション５１，５２は、ＩＰパケットなどのＬ３データユニットを受信するリンクレイヤ接続であってもよい。次いで、Ｌ３データユニットはレイヤＬ２において受信されるが、レイヤＬ２では、Ｌ３データユニットが、またＬ２ＳＤＵ（Ｓｅｒｖｉｃｅ  Ｄａｔａ  Ｕｎｉｔ、サービスデータユニット）と呼ばれる。これらＳＤＵは、Ｌ２ＰＤＵ（Ｐｒｏｔｏｃｏｌ  Ｄａｔａ  Ｕｎｉｔ、プロトコルデータユニット）に区分される。ＰＤＵは、次いでそれぞれのリンクレイヤ送信機１０、または２０によりそれぞれのリンクレイヤ接続を介して送信される。受信機４は、次いでＰＤＵを基本にしてＳＤＵを再構築する。ＳＤＵは、適したシーケンス識別情報により特定されるが、識別情報は以下では簡単化のため単に１、２、３、．．．として参照される。受信機４がＳＤＵ番号１をエラーなく受信し（「１」は、例えばマルチキャストＳＤＵの第１のＳＤＵを表す）、次いで順序配信が要求されれば、別のＳＤＵが成功裡に受信されたかを判断するために、ＳＤＵ１はＳＤＵ２がエラーなく受信されるまで待たされる。換言すれば、ＳＤＵ番号２の１つのＰＤＵに欠陥があり、受信機４が再送信を待ち、次いでＳＤＵ番号３の全てのＰＤＵがその間にエラーなく受信されたとしても、ＳＤＵ番号２がエラーなく受信されるまで、ＳＤＵ番号３は成功裡に受信されたとは判定されない。
【００３１】
順序配信の上記の例では、成功裡に受信したデータユニットを特定するための記録は、エラーなく（またはエラー許容限界内で）受信し、受信したデータユニットの順番をカウントする、簡単なカウンタであってもよい。
【００３２】
一方、受信機４により保持される記録や、受信機４が第２の送信機２０に伝達する、恐らく成功裡に受信したデータユニットに関する情報の形式は、任意の適した方法や望ましい方法を用いて選択でき、一般に個々の状況に依存して選択される。
【００３３】
例えば、上記の情報は、成功裡に受信したデータユニットに対応するデータユニット識別情報のリストであってもよい。この場合、「成功裡に」とは以前に説明したように、エラーないこと、または許容できるエラーを含んでいること、を意味する。第２の送信機が成功裡に受信されたデータユニットを特定できるように、受信機４から第２の送信機２０に伝達される情報は、例えば、リストそのもの、または否定的リスト、例えばリストにない全てのこれらのデータユニットであってもよい。第２の送信機は、それにより受信機において成功裡に受信済みのデータユニットの送信を抑制し、同時に成功裡に受信済みでないものを送信するようにしてもよい。
【００３４】
これは、順序配信が必要な状況および必要でない状況の双方に適用可能である。順序配信の場合、受信機は、次いで受信データユニットを元の順序に再順序化できる。
【００３５】
受信機においてこのようなリストに使用できたり、第２の送信機に情報を伝達したりする識別情報は、任意の適するか、または望ましい方法で選択できる。識別情報は、例えば関連するデータユニットのヘッダのプロトコルＩＤフィールド、ヘッダ全体またはデータユニットのある他の部分のコピー（複製）、データユニット全体のコピー、ヘッダまたはデータユニット全体のハッシュ関数、各データユニットに割り当てられた指定シーケンス番号、などであってもよい。
【００３６】
これまで、本発明を方法の実施形態を参照して説明してきた。しかしながら、本発明は、記述した送信機および受信機においても実施できる。例えば、図２は、上記の受信機４の実施形態を概略的に示す。受信機４は、第１の送信機１０への第１のコネクション５１および第２の送信機２０への第２のコネクション５２を確立して通信するための接続装置４１を含むことができる。なお、用語「接続装置」は、一般的に理解され、適するデータユニット送信機への複数の接続を確立できる任意の通信デバイスなどを表す用語である。図２に示す例では、接続装置４１は、２本のアンテナ４３および４４を有し、これらのアンテナは、それぞれ第１の無線アクセスネットワークおよび第２の無線アクセスネットワークへの接続の可能性を表す。勿論、これは説明のための例に過ぎず、接続装置は追加のアンテナを備えてもよいが、種々の無線アクセスネットワークへとアクセスするために１つのアンテナを使用するのが適当であることもありうる。接続装置は、また有線接続のための適する入力装置および出力装置を備えてもよい。さらに、データユニット受信機４は、コントローラ４２を備えてもよく、コントローラは、受信機４の機能全体を制御するように構成され、第１および第２のコネクションを介するデータユニットの受信を制御し、上記の原則に従いデータユニットを正しく受信したか否かを判定し、第１のコネクション５１から第２のコネクション５２へのハンドオーバにおいてデータユニット受信機を制御するように特に構成される。コントローラ４２は、マルチキャストされたデータユニットの間の参照データユニットの上記指示を受信するように構成され、マルチキャストされたデータユニットのうち、第１のコネクション５１を介して送信され、成功裡に受信したこれらのデータユニットを特定する記録を保持するように構成される。
【００３７】
コントローラ４２は、例えば、上記の機能を満たす、適するソフトウエアをロードしたプログラム可能なプロセッサであってもよい。受信機４は、さらにその機能によって、キーボード、ディスプレイ、などの構成要素を一般に含むが、これらは本発明との関係はあまりないので、図示しない。
【００３８】
コントローラ４２は、第１のコネクション５１を介して成功裡に受信したデータユニットの数をカウントするように好ましくは構成され、それにより成功裡に受信したデータユニットの上記記録を作成して保持する。さらにコントローラ４２は、第２の送信機２０がマルチキャストされたデータユニットのうち、第１のコネクション５１を介して受信機４により成功裡に受信したこれらのデータユニットを特定することのできる情報を、第２の送信機２０に送信できるように好ましくは構成される。またコントローラ４２は、保持している記録を使用して、第１のコネクション５１を介して受信機４により成功裡に受信済みの、第２のコネクション５２を介して受信したデータユニットをそのまま廃棄するように構成されてもよい。
【００３９】
図３ａは本発明の実施形態に従い構成されたデータユニット送信機１０の概略的な例を示し、図３ｂは本発明の実施形態に従い構成されたデータユニット送信機２０の概略的な例を示す。
【００４０】
図３ａに示すデータユニット送信機１０は、受信機４への、および受信機４に送信されるデータユニットを受信するためのネットワーク１への第１のコネクション５１を確立する、接続装置１０１を含む。これは、第１のコネクション５１の一部を示す、線分１０３、およびネットワーク１への接続を確立する、線分１０４により概略的に示されている。図３ａのデータユニット送信機１０は、第１のコネクション５１から第２のコネクション５２へのハンドオーバにおいてデータユニット送信機１０を制御するコントローラ１０２をさらに含み、コントローラは、ハンドオーバにおいてネットワーク１を介して受信したデータユニットを第２の送信機２０に転送し、データユニット送信機１０および他の送信機２０の双方に供給されたこれらのデータユニット、即ちマルチキャストされたデータユニットのうち参照データユニットを受信機４に指示するように構成される。
【００４１】
接続装置１０１は、受信機４の接続装置４１に関して既に説明したように、汎用の構成要素である。さらにコントローラ１０２は、適したソフトウエアを実行することで、上記の機能を提供するプログラム可能なプロセッサであることが好ましい。また図２に関して説明したように、図３ａは本発明に重要なこれらのエレメントを示すに過ぎず、データユニット送信機１０が従来持つことのできる他の構成要素は、簡単化のため図示しない。
【００４２】
図３ｂは、第２のコネクション５２を介してデータユニットを受信機４に送信するデータユニット送信機２０の例を示す。送信機１０と同様に、送信機２０は、受信機４への、およびデータユニットを受信するためのネットワーク２へのコネクション５２を行う、接続装置２０１を有する。これは線分２０３および２０４によりそれぞれ概略的に示されている。さらに、コントローラ２０２が提供され、第１のコネクション５１から第２のコネクション５２へのハンドオーバにおいてデータユニット送信機２０を制御する。コントローラ２０２は、コントローラ２０２がマルチキャストされたデータユニットのうち、第１のコネクション５１を介して受信機４により成功裡に受信したこれらのデータユニットを特定できる上記情報を、受信機４から受信するように構成される。
【００４３】
コントローラ２０２はマルチキャストされたデータユニットのうち、第１のコネクション５１を介して受信機４により成功裡に受信しなかったようなデータユニットのみを受信機４に送信するように構成されることが好ましく、この制御動作は受信機４から受信する情報に基づく。
【００４４】
次に図６を参照して、ＵＭＴＳ（Ｕｎｉｖｅｒｓａｌ  Ｍｏｂｉｌｅ  Ｔｅｌｅｐｈｏｎｅ  Ｓｙｓｔｅｍ、汎用移動電話システム）接続からＷＬＡＮ（Ｗｉｒｅｌｅｓｓ  Ｌｏｃａｌ  Ａｒｅａ  Ｎｅｔｗｏｒｋ、無線ローカルエリヤネットワーク）接続へのハンドオーバに対する本発明の詳細な適用例を説明する。図６で、以前に説明した受信機はデュアルモード移動端末（ＭＴ）により実現される。ＵＭＴＳネットワークに関係する送信機１０は無線ネットワークコントローラ（ＲＮＣ）により実施され、ＲＮＣはＧＰＲＳサービス提供ノード（ｓｅｒｖｉｎｇ  ＧＰＲＳ  ｓｅｒｖｉｃｅ  ｎｏｄｅ、ＳＧＳＮ）およびＧＰＲＳサービスゲートウエイノード（ｇａｔｅｗａｙ  ＧＰＲＳ  ｓｅｒｖｉｃｅ  ｎｏｄｅ、ＧＧＳＮ）と通信する。ＭＡＳＣ（Ｍｕｌｔｉ−Ａｃｃｅｓｓ  Ｓｅｒｖｉｃｅ  Ｃｏｎｔｒｏｌｌｅｒ、マルチアクセスサービスコントローラ）はコア電話ネットワークの一部であり、データユニット（図６の例ではＩＰパケット）はＵＭＴＳネットワークおよびＷＬＡＮネットワークの外部に位置できるサーバから着信する。ＷＬＡＮネットワークは、ＭＰＣ（Ｍｅｄｉａ  Ｐｏｉｎｔ  Ｃｏｎｔｒｏｌｌｅｒ、メディアポイントコントローラ）およびアクセスポイント（ａｃｃｅｓｓ  ｐｏｉｎｔ、ＡＰ）により実現され、前記ＡＰは以前に説明した第２の送信機２０を実現する。
【００４５】
図６に示す多くの情報交換および伝送は、本発明の主題にそれほど関係のないものであり、それ故図６に示すもの以上にさらに説明することはしない。ＵＭＴＳからＷＬＡＮへのハンドオーバが実行されると、ＲＮＣに格納され、未だ成功裡に送信されていない全てのＩＰパケットは複製され、ＧＧＳＮを介してＷＬＡＮ  ＡＲに送信される。これは図６の太い矢印６１により示される。同時に、バイキャストがＧＧＳＮノードで開始され、ＧＧＳＮノードにおいてデータがＲＮＣおよびＷＬＡＮ  ＡＲに転送される。ＩＰパケットのあらゆる複製に先立って、移動端末ＭＴは「ＰＤＵオフセットカウンタ」、参照番号６２参照、と呼ばれる、適したカウンタを起動するように通知を受ける。なお、図６の例で使用するように、用語「ＰＤＵ」はＰＤＰ（Ｐａｃｋｅｔ  Ｄａｔａ  Ｐｒｏｔｏｃｏｌ、パケットデータプロトコル）ＰＤＵ、例えばＩＰパケットに関係する用語である。これは、ＰＤＰ  ＰＤＵが高位Ｌ３レイヤのＰＤＵであり、それ故またＬ２  ＳＤＵと呼ばれることがあることを意味する。
【００４６】
ＷＬＡＮを介して第２のコネクションが確立された後に、移動端末ＭＴは「ＰＤＵオフセットカウンタ」、参照番号６２参照、の値をＷＬＡＮ  ＡＲに送信する。参照番号６３に示す例では、この情報はＳＩＰ（Ｓｅｓｓｉｏｎ  ＩＮｉｔｏａｔｉｏｎ  Ｐｒｏｔｏｃｏｌ、セッション開始プロトコル）メッセージにより通信される。ＷＬＡＮ  ＡＲは、次いでＰＤＵオフセット値(参照番号６４参照)により示されるだけ多くの数のＩＰパケットを廃棄し、全ての残りのＩＰパケットを送信する。参照番号６５を参照のこと。このようにして、ＷＬＡＮの空中線（エア）インタフェースを介して受信済みＩＰパケットの重複送信、ならびにＴＣＰのような高位レイヤプロトコルによる重複パケットの受信を排除できる。
【００４７】
なお、図６によれば、マルチキャスト機能は１つのノードではなく、複数のノードにより実装される例が提供されている。即ちマルチキャストは、ＧＧＳＮおよびＲＮＣの双方により行われる。一般にマルチキャスト機能は、１つの指定されたノードまたは複数のそのようなノードにより実施、または制御されうる。
【００４８】
本発明を好ましい実施形態により説明したが、これらの実施形態は明確な理解を伝えることに役立つのみであって、決して限定を意図するものではない。むしろそれより、本発明は、添付の特許請求の範囲により規定される。請求項の参照番号は請求項を読み易くするのに役立つが、限定する意味を持たない。
【図面の簡単な説明】
【００４９】
【図１】ハンドオーバ処理に含まれる受信機および２つの接続を概略的に示す図である。
【図２】本発明に従い動作するように構成された受信機を概略的に示す図である。
【図３ａ】本発明に従い動作するように構成された送信機を概略的に示す図である。
【図３ｂ】本発明に従い動作するように構成された送信機を概略的に示す図である。
【図４】本発明の方法の第１の例に関するフローチャートを示す図である。
【図５】本発明の方法の第２の例に関するフローチャートを示す図である。
【図６】無線ネットワークコントローラおよび無線ＬＡＮの双方と通信することのできるデュアルモード移動端末に関して、無線ネットワークコントローラから無線ＬＡＮのアクセスポイントへのハンドオーバ手順において発生する信号通報およびデータ転送の詳細な例を示す図である。
【図１】
2007537634.tif 000003
【図２】
2007537634.tif 000004
【図３ａ】
2007537634.tif 000005
【図３ｂ】
2007537634.tif 000006
【図４】
2007537634.tif 000007
【図５】
2007537634.tif 000008
【図６】
2007537634.tif 000009
【手続補正書】
【提出日】平成18年3月14日(2006.3.14)
【手続補正１】
【補正対象書類名】特許請求の範囲
【補正対象項目名】請求項１１
【補正方法】変更
【補正の内容】
【請求項１１】
データユニット受信機(４)であって、
第１の送信機(１０)への第１のコネクション(５１)および第２の送信機(２０)への第２のコネクション(５２)を確立する接続装置（４１）と、
前記第１および前記第２のコネクションを介するデータユニットの受信を制御し、前記データユニットを正しく受信したか否かを判定し、前記第１のコネクション(５１)から前記第２のコネクション(５２)への、データユニットのシーケンスを含むデータユニットベースの通信のハンドオーバにおいて、前記データユニット受信機(４)を制御し、該ハンドオーバが前記第１のコネクション(５１)を介する通信を非継続とし、前記第２のコネクション(５２)を介する通信を継続とする、コントローラ(４２)と
を含み、
前記コントローラ(４２)が、前記ハンドオーバのうち前記第１の送信機(１０)および前記第２の送信機（２０）の双方に供給されたデータユニットのうち、参照データユニットを表す情報を受信するように構成され、前記第１の送信機(１０)および前記第２の送信機（２０）の双方に供給されたこれらのデータユニットのうち、前記第１のコネクション(５１)を介して送信され、かつ、前記受信機（４）により成功裡に受信されたようなデータユニットを特定するための記録を、前記参照データユニットに基づいて、保持するように構成されている、
ことを特徴とするデータユニット受信機。
【手続補正２】
【補正対象書類名】明細書
【補正対象項目名】０００８
【補正方法】変更
【補正の内容】
【０００８】
欧州特許出願公開ＥＰ１  ３７０  ０４１  Ａ１号によれば、移動ノードとネットワークとの間で通信する方法及び装置が記載されている。より具体的に説明すると、ＩＰｖ６の仕様に従ってハンドオーバする方法が記載されている。そして、通信ネットワークに複製及びマージするエージェントを導入することが提案されている。移動ノードへの２つのパスが確立され、これらの２つのパスを介して送信するために、パケットが複製される。マージ処理は、冗長を低減するために実行される。マージ処理を実行するために、複製されたパケットの宛先オプションヘッダによって複製とマージを制御する情報が搬送される。
Ｃ．パーキンス氏、Ｋ．ワンによる「モバイルＩＰにおける最適化されたスムーズなハンドオフ」、コンピュータ及び通信についてのＩＥＥＥ国際シンポジウムの会議録、１９９９年７月発行、３４０頁〜３４６頁、ＸＰ００２９０２００９、によれば、モバイルＩＰｖ６における階層的なフォーリンエージェントについてのコンセプトが示されている。ハードオーバの際のデータの損失を回避するために、移動ホストのフォーリンエージェントが、転送されてきたデータバッファに蓄積する。ハンドオフの際に、移動ホストは、ハンドオーバのリクエストを位置登録情報に搭載し、新規のフォーリンエージェントは、旧来のフォーリンエージェントに対してバッファに蓄積しているデータをハンドオーバするよう要求する。複製を減らすために、移動ホストは、受信したパケットのＩＰヘッダに含まれる送信元アドレスのフィールドと、識別情報とをバッファに蓄積する。そして、これらは、ハンドオーバのリクエストに搭載される。よって、旧来のフォーリンエージェントは、移動ホストによりすでに受信されているパケットを送信する必要がなくなる。
米国特許公開ＵＳ２００２／１４１３６０Ａ１号によれば、ＩＰカプセル化を用いた、ＩＰベースのＣＤＭＡネットワークにおけるソフトハンドオフ方法について記載されている。同時に２つのパスを介して移動局へＲＬＰ  ＰＤＵを送信でき、移動局は受信したこれらを１つの信号へと合成する。さらに、ハンドオーバの際に、ハンドオーバ先となる基地局においてパケットが複製されることを回避するために、ＩＰパケットフィルタが導入されている。すなわち、ハンドオーバ先となる基地局は、ハンドオーバの際に、２つのソースから同一のＩＰパケットを受信することになるが、一方で、ネットワークを介した相手ノードや、コネクションをハンドオーバしている在圏基地局から直接的に受信する。
本発明の目的は、マルチキャストハンドオーバを実施する改良された方法およびシステムを広く提供することである。
【手続補正書】
【提出日】平成19年1月16日(2007.1.16)
【手続補正１】
【補正対象書類名】特許請求の範囲
【補正対象項目名】全文
【補正方法】変更
【補正の内容】
【特許請求の範囲】
【請求項１】
第１の送信機(１０)と受信機(４)との間に設けられた第１のコネクション（５１）から第２の送信機(２０)と前記受信機(４)との間に設けられた第２のコネクション（５２）へデータユニットのシーケンスを含むデータユニットベースの通信をハンドオーバする方法であって、
前記第１のコネクション(５１)を介する前記通信を非継続とし（Ｓ４４；Ｓ５４）、前記第２のコネクション(５２)を介する前記通信を継続とするステップと、
前記第１のコネクション(５１)を介する前記通信を非継続とするのに先立って、前記第１の送信機(１０)および前記第２の送信機（２０）の双方に前記受信機(４)宛てのデータユニットを供給する(Ｓ４１；Ｓ５１)ステップと
を含み、さらに、
前記第１の送信機(１０)および前記第２の送信機（２０）の双方に供給されたこれらのデータユニットのうち参照データユニットを前記受信機（４）に提示するステップ（Ｓ４２；Ｓ５２）と、
前記受信機（４）が、前記第１の送信機(１０)および前記第２の送信機（２０）の双方に供給されたこれらのデータユニットのうち、前記第１のコネクション(５１)を介して送信され、かつ、前記受信機（４）により成功裡に受信されたようなデータユニットを特定するための記録を、前記参照データユニットに基づいて保持するステップと
を含むことを特徴とする方法。
【請求項２】
前記方法であって、前記受信機(４)が、前記第１の送信機(１０)および前記第２の送信機（２０）の双方に供給されたこれらのデータユニットのうち、前記第１のコネクション(５１)を介して成功裡に受信され、かつ、前記シーケンスにおいて前記参照データユニットに続く、全てのデータユニットの記録を保持する、ことを特徴とする請求項１に記載の方法。
【請求項３】
前記参照データユニットが、前記第１の送信機(１０)および前記第２の送信機（２０）の双方に供給されたこれらのデータユニットのうちの第１のデータユニットである、ことを特徴とする請求項１または２に記載の方法。
【請求項４】
前記第１の送信機(１０)および前記第２の送信機（２０）の双方に前記受信機(４)宛てのデータユニットを供給するステップが、前記第１の送信機(１０)が前記第２の送信機へ前記データユニットを転送するステップを含む、ことを特徴とする請求項１乃至３の何れか１項に記載の方法。
【請求項５】
前記受信機(４)に参照データユニットを提示するステップが、前記第１の送信機(１０)が前記参照データユニットを特定する制御メッセージを前記受信機(４)へ送信するステップを含む、ことを特徴とする請求項４に記載の方法。
【請求項６】
前記受信機(４)が記録を保持するステップが、前記第１のコネクション(５１)を介して成功裡に受信したデータユニットの数を、前記参照データユニットを考慮してカウントするステップを含む、ことを特徴とする請求項１乃至５の何れか１項に記載の方法。
【請求項７】
前記受信機(４)は、前記第１の送信機および前記第２の送信機の双方に供給されたデータユニットのうち、前記第１のコネクション(５１)を介して前記受信機(４)により成功裡に受信された前記データユニットを前記第２の送信機(２０)が特定できる情報を、前記第２の送信機(２０)に送信する（Ｓ５５）、ことを特徴とする請求項１乃至６の何れか１項に記載の方法。
【請求項８】
前記第２の送信機(２０)が、前記第１の送信機および前記第２の送信機の双方に供給されたこれらのデータユニットのうち、前記第１のコネクション(５１)を介して前記受信機(４)により成功裡に受信されなかったようなデータユニットのみを前記受信機(４)に送信する、ことを特徴とする請求項７に記載の方法。
【請求項９】
前記受信機(４)が、前記第１および前記第２の送信機の双方に供給されたこれらのデータユニットの中にあり、前記第１のコネクション(５１)を介して前記受信機(４)により成功裡に受信した、前記第２のコネクション(５２)を介して受信するデータユニットを、前記記録を使用してそのまま廃棄する（Ｓ４５）、ことを特徴とする請求項１乃至６の何れか１項に記載の方法。
【請求項１０】
前記第１の送信機(１０)が第１の無線アクセスネットワーク(１)に属し、前記第２の送信機（２０）が、前記第１の無線アクセスネットワークとは異なる、第２の無線アクセスネットワーク(２)に属する、ことを特徴とする請求項１乃至９の何れか１項に記載の方法。
【請求項１１】
データユニット受信機(４)であって、
第１の送信機(１０)への第１のコネクション(５１)および第２の送信機(２０)への第２のコネクション(５２)を確立する接続装置（４１）と、
前記第１および前記第２のコネクションを介するデータユニットの受信を制御し、前記データユニットを正しく受信したか否かを判定し、前記第１のコネクション(５１)から前記第２のコネクション(５２)への、データユニットのシーケンスを含むデータユニットベースの通信のハンドオーバにおいて、前記データユニット受信機(４)を制御し、該ハンドオーバが前記第１のコネクション(５１)を介する通信を非継続とし、前記第２のコネクション(５２)を介する通信を継続とする、コントローラ(４２)と
を含み、
前記コントローラ(４２)が、前記ハンドオーバのうち前記第１の送信機(１０)および前記第２の送信機（２０）の双方に供給されたデータユニットのうち、参照データユニットを表す情報を受信するように構成され、前記第１の送信機(１０)および前記第２の送信機（２０）の双方に供給されたこれらのデータユニットのうち、前記第１のコネクション(５１)を介して送信され、かつ、前記受信機（４）により成功裡に受信されたようなデータユニットを特定するための記録を、前記参照データユニットに基づいて、保持するように構成されている、
ことを特徴とするデータユニット受信機。
【請求項１２】
前記コントローラ(４２)が、前記第１のコネクション(５１)を介して成功裡に受信したデータユニットの数を、前記参照データユニットを考慮してカウントするように構成されている、ことを特徴とする請求項１１に記載のデータユニット受信機。
【請求項１３】
前記コントローラ(４２)は、前記第１の送信機および前記第２の送信機の双方に供給されたこれらのデータユニットのうち、前記第１のコネクション(５１)を介して前記受信機(４)により成功裡に受信されたデータユニットを前記第２の送信機(２０)が特定できる情報を、前記第２の送信機(２０)に送信するように構成されている、ことを特徴とする請求項１１または１２に記載のデータユニット受信機。
【請求項１４】
前記コントローラ(４２)は、前記記録を使用して（Ｓ４５）前記第１および前記第２の送信機の双方に供給され、かつ、前記第１のコネクション(５１)を介して前記受信機(４)により成功裡に受信された、これらのデータユニットのうち、前記第２のコネクション(５２)を介して受信されたデータユニットをそのまま廃棄する
ように構成されている、ことを特徴とする請求項１１または１２に記載のデータユニット受信機。
【請求項１５】
受信機(４)にデータユニットを送信するデータユニット送信機（１０）であって、
前記データユニットを受信する、前記受信機(４)およびネットワーク(１)への第１のコネクション(５１)を確立する接続装置(１０１)と、
前記第１のコネクション（５１）から第２の送信機(２０)と前記受信機(４)との間に設けられた第２のコネクション（５２）へとハンドオーバする際に、前記データユニット送信機（１０）を制御し、該ハンドオーバには、前記第１のコネクション(５１)を介する通信を非継続とし、前記第２のコネクション(５２)を介する通信を継続させルことが含まれ、前記第１のコネクション(５１)を介する通信を非継続とするのに先立って、前記データユニット送信機（１０）および前記第２の送信機(２０)の双方に前記受信機(４)宛てのデータユニットを供給するコントローラ(１０２)とを含み、
さらに、前記コントローラ(１０２)が、前記ハンドオーバのうち、前記ネットワーク(１)を介して受信した前記データユニットを前記第２の送信機(２０)に転送し、前記データユニット送信機（１０）および前記第２の送信機(２０)の双方に供給されたこれらのデータユニットのうちの参照データユニットを前記受信機(４)に提示するように構成されている、
ことを特徴とするデータユニット送信機。
【手続補正２】
【補正対象書類名】明細書
【補正対象項目名】００４２
【補正方法】変更
【補正の内容】
【００４２】
図３ｂは、第２のコネクション５２を介してデータユニットを受信機４に送信するデータユニット送信機２０の例を示す。送信機１０と同様に、送信機２０は、受信機４への、およびデータユニットを受信するためのネットワーク２へのコネクション５２を行う、接続装置２０１を有する。これは線分２０３および２０４によりそれぞれ概略的に示されている。さらに、コントローラ２０２が提供され、第１のコネクション５１から第２のコネクション５２へのハンドオーバにおいてデータユニット送信機２０を制御する。このように、コントローラ２０２は、第１の送信機１０と受信機４との間にある第１のコネクション５１から、ハンドオーバの第２のコネクションであるコネクション５２とハンドオーバする際にデータユニット送信機２０を制御するように構成されている。このハンドオーバには、第１のコネクション５１を介した通信を切断するとともに、第２のコネクション５２を介した通信を継続させる処理が含まれている。なお、第１のコネクション５１を介した通信を切断するの先立って、受信機４を宛先としたデータユニットが、第１の送信機１０とデータユニット送信機２０の双方に供給される。コントローラ２０２は、コントローラ２０２がマルチキャストされたデータユニットのうち、第１のコネクション５１を介して受信機４により成功裡に受信したこれらのデータユニットを特定できる上記情報を、受信機４から受信するように構成される。
【国際調査報告】
2007537634.tif 000010
2007537634.tif 000011
2007537634.tif 000012
2007537634.tif 000013
2007537634.tif 000014